(57)【要約】      （修正有）【課題】ベッドの傾斜角度をより円滑に調整できるベッドを提供する。【解決手段】ベッドは、第１本体１１、第２本体１２、第３本体１３、サポートフレーム１４、第１駆動アッセンブリ１５、第２駆動アッセンブリ１６により成る。又、主に第１本体から第１アーム１１１３及び第２アーム１１１４を延伸し、前記第１アーム、第２アームの末端に摺動部材１１１５，１１１６を設置する。この摺動部材を前記サポートフレーム１４に摺動可能に設置することで、第１及び第２駆動アッセンブリ１５，１６を作動させることによりベッドの傾斜角度をより円滑に調整することができ、且つ使用者がより快適に使用することができるようにした。【選択図】図３
0003166582.tif 000002
【実用新案登録請求の範囲】
【請求項１】
ベッドであって、第１本体、第２本体、第３本体、サポートフレーム、第１駆動アッセンブリ、第２駆動アッセンブリを含み、
前記第１本体が、第１固定フレーム及び少なくとも１つの第１ボードを備え、前記第１固定フレームの両側に第１連接端及び第２連接端と、第１アーム及び第２アームがそれぞれ延伸され、且つ前記第１アーム及び第２アームの末端に少なくとも１つの摺動部材がそれぞれ設置され、
前記第２本体が、第２固定フレーム及び少なくとも１つの第２ボードを備え、前記第２固定フレームの一側に前記第１連接端と枢着される第３連接端が延伸され、
前記第３本体が、第３固定フレーム及び少なくとも１つの第３ボードを備え、前記第３固定フレームの一側に前記第２連接端と枢着される第４連接端が延伸され、
前記サポートフレームが、ガイドレールを備え、前記摺動部材が摺動可能に前記ガイドレール内に設置され、
前記第１駆動アッセンブリが、第１駆動ユニット及び第１リンクバーを備え、前記第１リンクバーの一端が前記第３固定フレームと枢着され、他端が前記第１駆動ユニットと枢着され、
前記第２駆動アッセンブリが、第２駆動ユニット及び第２リンクバー、第３リンクバーを備え、前記第２リンクバーの一端が前記第２固定フレームと枢着され、他端が前記第２駆動ユニットと枢着され、前記第３リンクバーの一端が前記第２駆動ユニットと枢着され、他端が前記第１固定フレームと枢着される、
ことを特徴とする、ベッド。
【請求項２】
前記第１固定フレームが複数のフレームを備え、前記フレームが横方向と縦方向に配設して連結され、前記第１ボードが前記第１固定フレーム上に平らに配設されたことを特徴とする、請求項１に記載のベッド。
【請求項３】
前記第２固定フレームが複数のフレームを備え、前記フレームが横方向と縦方向に配設して連結され、前記第２ボードが前記第２固定フレーム上に平らに配設されたことを特徴とする、請求項１に記載のベッド。
【請求項４】
前記第３固定フレームが複数のフレームを備え、前記フレームが横方向と縦方向に配設して連結され、前記第３ボードが前記第３固定フレーム上に平らに配設されたことを特徴とする、請求項１に記載のベッド。
【請求項５】
前記サポートフレームがさらに第１支持脚及び第２支持脚を備えていることを特徴とする、請求項１に記載のベッド。
【請求項６】
さらに第４本体を含み、前記第４本体が第４固定フレーム及び少なくとも１つの第４ボードを備え、前記第４固定フレームの一側に前記第３固定フレームと枢着される第５連接端が延伸されたことを特徴とする、請求項１に記載のベッド。
【請求項７】
前記摺動部材がローラであることを特徴とする、請求項１に記載のベッド。
【考案の詳細な説明】
【技術分野】
【０００１】
本考案はベッドに関し、特にベッドの傾斜角度を調整するとき、より円滑に調整できるよう改善し、使用者の快適性を高めたベッドに関する。
【背景技術】
【０００２】
現行の各種介護用ベッドは、介護用ベッド上に横になった患者の半身を起こして座った姿勢にしたり、適した快適な姿勢にしたりすることを便利に行うことができるように、通常介護用ベッドは複数のベッドフレームを組み立てて成り、各ベッドフレーム間の異なる角度の調整を利用して介護用ベッド上の患者の姿勢を変えるという目的を達している。
【０００３】
従来の介護用ベッドの調整構造は、主に背部ベッドフレームと臀部ベッドフレーム間を伸縮部材で相互に枢設して結合し、且つ前記背部ベッドフレーム及び臀部ベッドフレームにそれぞれ支持機構が設けられ、前記支持機構が動力源によって作動されることにより、背部ベッドフレームと臀部ベッドフレームを作動させ、背部ベッドフレームと臀部ベッドフレームに異なる角度の変化を生じさせて使用者が横になったり、座ったりなど姿勢を便利に調整することができる。
【０００４】
しかしながら、従来の介護用ベッドは調整上主に２つの動力源でそれぞれ背部ベッドフレームと臀部ベッドフレームの傾斜角度を調整しており、この２つの動力源を利用した介護用ベッドの調整は、組み立てに手間がかかるだけでなく、製造コストもより多くかかるものであった。
【０００５】
さらに、従来の介護用ベッドの調整構造はほとんどが背部と臀部間の傾斜角度の調整しかできないため、その調整可能な形態には限りがある。例えば、人体の休息に適した重力がかからない状態の角度変化に対応することは難しく、使用者が快適に横になって休息することができない。
【０００６】
従来の介護用ベッドの調整構造は設計上２つ以上の動力源を使用しなければならず、組み立てに時間がかかり、製造コストも高い等の欠点がある。
【０００７】
以上の如く、従来品には次のような欠点がある。
１．製造コストが比較的高い。
２．傾斜角度の調整がしにくい。
【考案の概要】
【考案が解決しようとする課題】
【０００８】
これに鑑みて、上述の問題を効果的に解決するため、本考案の主な目的は、ベッドの傾斜角度をより円滑に調整できると共に、製造コストを低減化できるベッドを提供することにある。
【課題を解決するための手段】
【０００９】
上述の目的を達するため、本考案のベッドは、第１本体、第２本体、第３本体、サポートフレーム、第１駆動アッセンブリ、第２駆動アッセンブリを含み、前記第１本体が、第１固定フレーム及び少なくとも１つの第１ボードを備え、前記第１固定フレームの両側に第１連接端及び第２連接端と、第１アーム及び第２アームがそれぞれ延伸され、かつ前記第１アーム及び第２アームの末端に少なくとも１つの摺動部材がそれぞれ設置され、前記第２本体が、第２固定フレーム及び少なくとも１つの第２ボードを備え、前記第２固定フレームの一側に前記第１連接端と枢着される第３連接端が延伸され、前記第３本体が、第３固定フレーム及び少なくとも１つの第３ボードを備え、前記第３固定フレームの一側に前記第２連接端と枢着される第４連接端が延伸され、前記サポートフレームが、ガイドレールを備え、前記摺動部材が摺動可能に前記ガイドレール内に設置され、前記第１駆動アッセンブリが、第１駆動ユニット及び第１リンクバーを備え、前記第１リンクバーの一端が前記第３固定フレームと枢着され、他端が前記第１駆動ユニットと枢着され、前記第２駆動アッセンブリが、第２駆動ユニット及び第２リンクバー、第３リンクバーを備え、前記第２リンクバーの一端が前記第２固定フレームと枢着され、他端が前記第２駆動ユニットと枢着され、前記第３リンクバーの一端が前記第２駆動ユニットと枢着され、他端が前記第１固定フレームと枢着されること、を特徴とする。
好適には、前記第１固定フレームが複数のフレームを備え、前記フレームが横方向と縦方向に配設して連結され、前記第１ボードが前記第１固定フレーム上に平らに配設されること、また、前記第２固定フレームが複数のフレームを備え、前記フレームが横方向と縦方向に配設して連結され、前記第２ボードが前記第２固定フレーム上に平らに配設されること、更にまた、前記第３固定フレームが複数のフレームを備え、前記フレームが横方向と縦方向に配設して連結され、前記第３ボードが前記第３固定フレーム上に平らに配設されること、が望ましい。
前記サポートフレームは、さらに第１支持脚及び第２支持脚を備えていることが望ましい。
本考案のベッドは、さらに第４本体を含み、前記第４本体が第４固定フレーム及び少なくとも１つの第４ボードを備え、前記第４固定フレームの一側に前記第３固定フレームと枢着される第５連接端が延伸されることが望ましい。
前記摺動部材はローラであることが望ましい。
【考案の効果】
【００１０】
本考案は上記の如く構成されるから、本考案のベッドによるときは、ベッドの傾斜角度をより円滑に調整することができ、使用者がより快適に使用することができると共に、製造コストの低減化を図ることも可能となる。
【図面の簡単な説明】
【００１１】
【図１】本考案の最良の実施例の立体分解図である。
【図２】本考案の最良の実施例の立体外観図である。
【図３】本考案の第１の作動状態を示す立体図である。
【図４】本考案の第２の作動状態を示す立体図である。
【図５】本考案の第３の作動状態を示す立体図である。
【考案を実施するための形態】
【００１２】
本考案の上述の目的及びその構造と機能上の特性について、以下図面に示す最良の実施例に基づいて詳細に説明する。
【００１３】
図１及び図２に本考案の最良の実施例の立体分解図及び外観図をそれぞれ示す。これらの図に示すように、前記ベッド１は、第１本体１１、第２本体１２、第３本体１３、サポートフレーム１４、第１駆動アッセンブリ１５、第２駆動アッセンブリ１６を含む。
【００１４】
前記第１本体１１は、第１固定フレーム１１１及び少なくとも１つの第１ボード１１２を備え、前記第１固定フレーム１１１の両側に第１連接端１１１１及び第２連接端１１１２、第１アーム１１１３及び第２アーム１１１４がそれぞれ延伸して設置され、且つ前記第１アーム１１１３、第２アーム１１１４の末端に少なくとも１つの摺動部材１１１５、１１１６がそれぞれ設置される。
【００１５】
前記第１固定フレーム１１１は複数のフレーム１１１ａを備え、前記フレーム１１１ａは横方向と縦方向に配設して連結され、前記第１ボード１１２が前記第１固定フレーム１１１上に平らに配設される。
【００１６】
前記摺動部材１１１５、１１１６は、この実施例の場合、ローラである。
【００１７】
前記第２本体１２は、第２固定フレーム１２１及び少なくとも１つの第２ボード１２２を備え、前記第２固定フレーム１２１の一側に前記第１連接端１１１１と枢着される第３連接端１２１１が延伸される。
【００１８】
前記第２固定フレーム１２１は複数のフレーム１２１ａを備え、前記フレーム１２１ａは横方向と縦方向に配設して連結され、前記第２ボード１２２が前記第２固定フレーム１２１上に平らに配設される。
【００１９】
前記第３本体１３は第３固定フレーム１３１及び少なくとも１つの第３ボード１３２を備え、前記第３固定フレーム１３１の一側に前記第２連接端１１１２と枢着される第４連接端１３１１が延伸される。
【００２０】
前記第３固定フレーム１３１は複数のフレーム１３１ａを備え、前記フレーム１３１ａは横方向と縦方向に配設して連結され、前記第３ボード１３２は前記第３固定フレーム１３１上に平らに配設される。
【００２１】
前記サポートフレーム１４はガイドレール１４１を備え、前記摺動部材１１１５、１１１６が摺動可能に前記ガイドレール１４１内に設置される。
【００２２】
前記サポートフレーム１４はさらに第１支持脚１４２及び第２支持脚１４３を備えている。
【００２３】
前記第１駆動アッセンブリ１５は第１駆動ユニット１５１及び第１リンクバー１５２を備え、前記第１リンクバー１５２の一端が前記第３固定フレーム１３１と枢着され、他端が前記第１駆動ユニット１５１と枢着される。
【００２４】
前記第２駆動アッセンブリ１６は第２駆動ユニット１６１及び第２リンクバー１６２、第３リンクバー１６３を備え、前記第２リンクバー１６２の一端が前記第２固定フレーム１２１と枢着され、他端が前記第２駆動ユニット１６１と枢着され、前記第３リンクバー１６３の一端が前記第２駆動ユニット１６１と枢着され、他端が前記第１固定フレーム１１１と枢着される。
【００２５】
前記ベッド１はさらに第４本体１７を備え、前記第４本体１７は第４固定フレーム１７１及び少なくとも１つの第４ボード１７２を備え、前記第４固定フレーム１７１の一側に前記第３固定フレーム１３１と枢着される第５連接端１７１１が延伸される。
【００２６】
図３、図４、図５に本考案に係るベッドの作動状態の立体図を示す。これらの図に示すように、前記第１駆動アッセンブリ１５によって前記第１リンクバー１５２を駆動して作動させ、さらに前記第１リンクバー１５２が前記第３本体１３を動かして作動させ、前記第３本体１３の傾斜角度が調整される。前記第２駆動アッセンブリ１６が前記第２リンクバー１６２を駆動して作動させると、第２リンクバー１６２が前記第２本体１２を動かして作動させ、前記第２本体１２の傾斜角度が調整される。
【００２７】
前記第３本体１３及び第２本体１２の角度調整時、前記第１本体１１の一側に延伸された第１アーム１１１３及び第２アーム１１１４は、前記末端の摺動部材１１１５、１１１６が前記サポートフレーム１４のガイドレール１４１中で摺動して移動し、且つ前記ガイドレール１４１にガイドされて前記摺動部材１１１５、１１１６が移動するとき、前記第１アーム１１１３、第２アーム１１１４が調整されて上昇または下降の効果が生じ、且つ前記第１アーム１１１３、第２アーム１１１４は前記第１本体１１から延伸されて設けられているため、第１本体１１が前記第１アーム１１１３、第２アーム１１１４に上昇または下降が生じる影響を受けて、前記第１本体１１にも同時に上昇または下降の効果が生じる。
【００２８】
第１アーム１１１３、第２アーム１１１４の設置、及び摺動部材１１１５、１１１６とサポートフレーム１４のガイドレール１４１の組み合わせの主要な効果は、前記第１本体１１、第２本体１２、第３本体１３の傾斜角度の調整をより円滑にすることができ、従来技術において本体が固定されているため傾斜角度を調整できないという欠点を効果的に改善できる。本考案の第１本体１１、第２本体１２、第３本体１３はすべて第１アーム１１１３、第２アーム１１１４及び摺動部材１１１５、１１１６とサポートフレーム１４のガイドレール１４１の組み合わせで共に傾斜角度が調整される。
【符号の説明】
【００２９】
１        ベッド
１１      第１本体
１１１    第１固定フレーム
１１１ａ  フレーム
１１１１  第１連接端
１１１２  第２連接端
１１１３  第１アーム
１１１４  第２アーム
１１１５  摺動部材
１１１６  摺動部材
１１２    第１ボード
１２      第２本体
１２１    第２固定フレーム
１２１ａ  フレーム
１２１１  第３連接端
１２２    第２ボード
１３      第３本体
１３１    第３固定フレーム
１３１ａ  フレーム
１３１１  第４連接端
１３２    第３ボード
１４      サポートフレーム
１４１    ガイドレール
１４２    第１支持脚
１４３    第２支持脚
１５      第１駆動アッセンブリ
１５１    第１駆動ユニット
１５２    第１リンクバー
１６      第２駆動アッセンブリ
１６１    第２駆動ユニット
１６２    第２リンクバー
１６３    第３リンクバー
１７      第４本体
１７１    第４固定フレーム
１７１１  第５連接端
１７２    第４ボード
【図１】
0003166582.tif 000003
【図２】
0003166582.tif 000004
【図３】
0003166582.tif 000005
【図４】
0003166582.tif 000006
【図５】
0003166582.tif 000007